(57)【要約】【課題】タブレットに安定して入力することを可能とするタブレット入力補助具を提供する。【解決手段】静電容量式のタッチパネル２を上方に向けた状態でタブレット１が設置され通電性を有する設置部２３と、設置部２３の前方側かつ上方に設けられ通電性を有する手置き部３１Ａと、設置部２３及び手置き部３１Ａを接続する通電性を有する接続材２７と、を備えている。【選択図】図５
2020087059.tif 000002
【特許請求の範囲】
【請求項１】
静電容量式のタッチパネルを上方に向けた状態でタブレットが設置され通電性を有する設置部と、
前記設置部の前方側かつ上方に設けられ通電性を有する手置き部と、
前記設置部及び前記手置き部を接続する通電性を有する接続材と、を備えていることを特徴とするタブレット入力補助具。
【請求項２】
前記設置部は、前記タブレットに接触可能に配置され通電性を有するタブレット側接触部を備え、
前記手置き部は、利用者の手に接触可能に配置され通電性を有する利用者側接触部を備え、
前記接続材は、前記タブレット側接触部及び前記利用者側接触部を接続していることを特徴とする請求項１に記載のタブレット入力補助具。
【請求項３】
前記タブレット側接触部は平板状であり、前記設置部の底部に配置されていることを特徴とする請求項２に記載のタブレット入力補助具。
【請求項４】
前記利用者側接触部は、左右方向に延設されていることを特徴とする請求項２または３に記載のタブレット入力補助具。
【発明の詳細な説明】
【技術分野】
【０００１】
本発明は、タブレットが装着されるタブレット入力補助具に関する。
【背景技術】
【０００２】
会計時にクレジットカードを使用するにあたって、クレジットカードの利用者が本人であることを店舗側が確認するためにサインを求められることがある。このような場面でサインする際に、タッチパネルにタッチペンや指を用いてサインする書込入力器が知られている。
【０００３】
例えば、特許文献１に示される書込入力器は、タッチペンと、デジタイザ（タッチパネル）と、を有し、カウンターやテーブルの天板上に載置された状態で、デジタイザ上でタッチペンを操作してサインすることによって、デジタイザ上に液晶等によりサインを表示可能であるとともに、そのサインの情報を保存することで店舗側がサインを受理可能となっている。
【０００４】
ところで、最近では、パーソナルコンピュータ（以下、「ＰＣ」と記載）を用いたＰＣＰＯＳ（ｐｏｉｎｔ  ｏｆ  ｓａｌｅｓ）の代わりに、取回しが良く、直感的な操作が可能なタブレットを用いたタブレットＰＯＳが広がりつつある。このようなタブレットＰＯＳは、上述したようなサインを求める場面において、特許文献１に示される端末装置のように、タッチパネル上でタッチペンや指を動かしてサインを受理することが可能となっている。
【先行技術文献】
【特許文献】
【０００５】
【特許文献１】特開平５−９４４６５号公報（第３，４頁、第１図）
【発明の概要】
【発明が解決しようとする課題】
【０００６】
タブレットＰＯＳにあっては、耐久性や操作性に優れることから一般に静電容量方式のタッチパネルが用いられているものの、周囲の静電気等の影響でタッチパネル表面の電流が乱れる虞があり、タッチペンや指を動かした際に発生する電位差が正確に認識されず、正確にサインすることができないという問題があった。
【０００７】
本発明は、このような問題点に着目してなされたもので、タブレットに安定して入力することを可能とするタブレット入力補助具を提供することを目的とする。
【課題を解決するための手段】
【０００８】
前記課題を解決するために、本発明のタブレット入力補助具は、
静電容量式のタッチパネルを上方に向けた状態でタブレットが設置され通電性を有する設置部と、
前記設置部の前方側かつ上方に設けられ通電性を有する手置き部と、
前記設置部及び前記手置き部を接続する通電性を有する接続材と、を備えていることを特徴としている。
この特徴によれば、手置き部に手を載せることによって、入力する際にタブレットにタッチペンや指以外の部分が接触することを防止できるばかりでなく、タッチペンや指がタッチパネルに触れることで生じた微小電流は、タブレット、設置部、接続材、手置き部、利用者の順に流されるため、タッチパネル表面の電流が安定する。これらにより、タッチペンや指を動かした際に発生する電位差が正確に認識されるようになり、安定して入力を行うことができる。
【０００９】
前記設置部は、前記タブレットに接触可能に配置され通電性を有するタブレット側接触部を備え、
前記手置き部は、利用者の手に接触可能に配置され通電性を有する利用者側接触部を備え、
前記接続材は、前記タブレット側接触部及び前記利用者側接触部を接続していることを特徴としている。
この特徴によれば、効率よく微弱電流を利用者に流すことができることから、電位差がより正確に認識されるようになる。
【００１０】
前記タブレット側接触部は平板状であり、前記設置部の底部に配置されていることを特徴としている。
この特徴によれば、設置部に置かれたタブレットを確実にタブレット側接触部に当接させることができる。
【００１１】
前記利用者側接触部は、左右方向に延設されていることを特徴としている。
この特徴によれば、入力に伴って手が左右方向に移動しても、利用者側接触部を確実に利用者に接触させることができる。
【図面の簡単な説明】
【００１２】
【図１】本発明の実施例１におけるタブレットが装着されたタブレット入力補助具を示す斜視図である。
【図２】タブレット入力補助具を示す上面図である。
【図３】（ａ）はタブレット入力補助具を側面から見た一部破断図、（ｂ）は同じく側断面図、（ｃ）は（ｂ）におけるスナップ近傍の構造を示す要部拡大図である。
【図４】（ａ）は設置部にタブレットを後方側から設置する形態を示す概略図、（ｂ）は設置部にタブレットを右方側から設置する形態を示す概略図、（ｃ）は大きいサイズのタブレットを設置部に設置する形態を示す概略図である。
【図５】ブレット入力補助具に装着されたタブレットを用いてサインを行う形態を示す側断面図である。
【実施例１】
【００１３】
実施例１に係るタブレット入力補助具につき、図１から図５を参照して説明する。
【００１４】
図１に示されるように、本発明の実施例に係るタブレット入力補助具１０は、タブレット１が装着されるものである。ここでいうタブレット１は、スーパーマーケットやコンビニエンスストア等で使用されるタブレットＰＯＳであり、会計処理ばかりでなく、タブレット１の静電容量方式のタッチパネル２にタッチペン３でサインされることで、クレジットカードでの支払いに対するサインの受理を行うことができる。タブレット入力補助具１０は、クレジットカード利用者に対してサインを求める際に使用されるものである。
【００１５】
図１〜図３を参照して、タブレット入力補助具１０は、タブレット１が載置される本体２０と、本体２０に固定されたカバー３０と、から主に構成されている。
【００１６】
先ず、本体２０について説明する。図２，図３を参照して、本体２０は、ＡＢＳ樹脂で形成された本体側基礎部材２１と、本体側基礎部材２１の上面部に取付けられた平板状のアルミ板２５と、ＡＢＳ樹脂で形成され本体側基礎部材２１に取付けられたスナップ２６と、シート状に形成されスナップ２６の上面に貼着された銅テープ２７と、から構成されている。
【００１７】
本体側基礎部材２１は、底板部２１Ａと、底板部２１Ａの両側面に配置される側板部２１Ｂと、が一体成形されている。底板部２１Ａは、略前後方向に延びる前端部２１ｇと、側面視前端部２１ｇの後端部から後方に向かうほど高くなるように直線状に延びる平板状の傾斜板部２１ｅと、を備えており、前端部２１ｇに上下方向に貫通する貫通孔２１ａが形成され、傾斜板部２１ｅに上下方向に貫通する貫通孔２１ｂが形成されている。尚、図２においては、説明の便宜上、貫通孔２１ａ，２１ｂを２点鎖線で示している。
【００１８】
前端部２１ｇにおける貫通孔２１ａの前端縁には、上方に立ち上がる立上部２１ｃが形成されている。また、傾斜板部２１ｅにおける貫通孔２１ｂの前端縁には、上方に立ち上がる立上部２１ｄが形成されている。尚、図示しないが、前方側の立上部２１ｃは、貫通孔２１ａの左右幅と同一幅で形成されており、後方側の立上部２１ｄは、底板部２１Ａの左右幅と同一幅で形成されている。さらに尚、後方側の立上部２１ｄは、前方側の立上部２１ｄよりも上下方向に長くなっている。
【００１９】
また、傾斜板部２１ｅの後端縁には鉤部２１ｆが設けられている。詳しくは、鉤部２１ｆは、傾斜板部２１ｅの後端縁から下方に延びる延設部２１ｋと、延設部２１ｋの下端部から前方側に延びる爪部２１ｍと、から構成されている。尚、立上部２１ｃの下面、及び鉤部２１ｆ（爪部２１ｍ）の下面にはゴム製の滑り止め用シート２８が貼着されている。
【００２０】
側板部２１Ｂは、前端部分が前端部２１ｇ及び立上部２１ｃ，２１ｄが側方から見えないように形成されるとともに、後端部分が傾斜板部２１ｅと鉤部２１ｆとが側方から見えないように形成されている。尚、側板部２１Ｂの後端部分は、その下面が傾斜板部２１ｅと平行となるように形成されているので、側方から傾斜板部２１ｅと鉤部２１ｆとで囲まれた空間に指先等を挿入可能となっている。また、傾斜板部２１ｅの左端縁には、上端縁が立上部２１ｄの上端部から傾斜板部２１ｅの後端部まで直線状に延びる壁部２１Ｃが立設されている。
【００２１】
傾斜板部２１ｅの上面には、断面視上向きコ字形状且つ上面視矩形状の凹部２１ｈが形成されており、前述したアルミ板２５は、凹部２１ｈ内に設置されている。凹部２１ｈの深さは、アルミ板２５の厚みよりも浅く形成されているので、凹部２１ｈ内に設置された状態においてアルミ板２５の上面側が凹部２１ｈよりも上方に張り出すようになっている（特に図３（ｂ）拡大部参照）。
【００２２】
すなわち、本体２０には、立上部２１ｃ、傾斜板部２１ｅ、アルミ板２５、壁部２１Ｃにより画成された設置部２３が形成されている。傾斜板部２１ｅ及びアルミ板２５は、設置部２３の底部を構成しており、設置部２３は、後方側及び右方側に開放されており、左方側は壁部２１Ｃにより閉塞されている。尚、立上部２１ｃの背面側（設置部２３側）及び壁部２１Ｃの右側面（設置部２３側）には、弾性を有するとともに高摩擦部材である例えばゴム等の緩衝部材２９ａ，２９ｂがそれぞれ固着されている。
【００２３】
スナップ２６は、その後端部２６ａが傾斜板部２１ｅにおける貫通孔２１ｂ側の上端縁に形成された段部２１ｊに載置されており、段部２１ｊとアルミ板２５とにより上下方向に狭持されている。また、スナップ２６は、後端部２６ａから貫通孔２１ｂを通って立上部２１ｄの下方まで延びる中間部２６ｂと、中間部２６ｂの前端から立上部２１ｃ，２１ｄを繋ぐように下向きＵ字状に延びる前端部２６ｃと、を備えている。また、前端部２６ｃは、立上部２１ｃの上端縁に係止される爪部２６ｄを有している。これら後端部２６ａ、中間部２６ｂ、前端部２６ｃの上面には、シート状の銅テープ２７が貼着されている。
【００２４】
次に、カバー３０について説明する。図１〜図３を参照して、カバー３０は、ＡＢＳ樹脂で形成されたカバー側基礎部材３１と、カバー側基礎部材３１に組み合わされる横長円柱状のアルミ棒３５と、から主に構成されている。
【００２５】
カバー側基礎部材３１は、本体２０における前端部２１ｇの前端から立上部２１ｄまで前後方向に延び、且つ左右の側板部２１Ｂの前端部分に渡って左右方向に延びる上面視略矩形の板状を成し、前端部２１ｇ、立上部２１ｄ、左右の側板部２１Ｂにより囲われた空間（本体側基礎部材２１の前端部２１ｇの上部空間）を上方から被覆するように設置されている。カバー側基礎部材３１は、その上面が本体２０における傾斜板部２１ｅと略平行に配置され、前方から後方に向かうほどに高さが増すように構成されている。
【００２６】
カバー側基礎部材３１には、その前端側において厚み方向に凹むように設けられる断面視Ｕ字状の溝部３２と、溝部３２よりも後端側において左右方向に長く厚み方向に貫通した平面視横長矩形状のスリット３３とが形成されており、スリット３３よりも後端側において設置部２３側に突出する庇部３４が備えられている。尚、カバー側基礎部材３１における溝部３２よりも後端側の部分は、利用者がサインするときに手を載せる手置き部３１Ａとして機能している。
【００２７】
次に、タブレット入力補助具１０の組立てについて説明する。先ず、スナップ２６の後端部２６ａを、貫通孔２１ｂの下方から通して本体側基礎部材２１の段部２１ｊに配置するとともに、スナップ２６の前端部２６ｃを立上部２１ｃ，２１ｄとの間（貫通孔２１ａ）に圧入し、爪部２６ｄを立上部２１ｃの上端縁に係止させる。これにより、スナップ２６を本体側基礎部材２１に取付けることができる。尚、スナップ２６を本体側基礎部材２１から取外す際には、爪部２６ｄを後方側へと押し下げることによって容易に取外すことができる。
【００２８】
次いで、アルミ板２５を本体側基礎部材２１の凹部２１ｈに嵌合させ両面テープで固定する。本体側基礎部材２１の凹部２１ｈに固定されたアルミ板２５は、スナップ２６に貼着されている銅テープ２７に面当接している。スナップ２６の後端部２６ａの厚みと銅テープ２７の厚みとの和は、段部２１ｊの深さよりも僅かに大きくなっており、スナップ２６の後端部２６ａが凹部２１ｈ側に張り出すため、スナップ２６の後端部２６ａに貼着されている銅テープ２７に確実にアルミ板２５が確実に接触するようになっている。
【００２９】
次いで、スナップ２６の前端部２６ｃの上部にアルミ棒３５を載置するとともに、カバー側基礎部材３１を本体側基礎部材２１の前端部分を上方から閉塞するように固定する。これにより、アルミ棒３５の上端部分がスリット３３を貫通しカバー３０よりも上方に露出するとともに、カバー側基礎部材３１とスナップ２６の前端部２６ｃとによりアルミ棒３５が上下に狭持されて固定される。尚、スナップ２６の前端部２６ｃは、下向きＵ字状に湾曲して形成されているので、スナップ２６の前端部２６ｃとカバー側基礎部材３１とによりアルミ棒３５を上下に狭持したときに、弾性変形され、その弾性復元力によりアルミ棒３５を強固にカバー側基礎部材３１に押し付けることができる。これにより、アルミ棒３５は、スナップ２６の前端部２６ｃとカバー側基礎部材３１とにより狭持された状態において、スナップ２６に貼着されている銅テープ２７に確実に接触する。
【００３０】
次いで、タブレット入力補助具１０の設置部２３にタブレット１を設置する形態を図４に基づいて説明する。
【００３１】
図４（ａ）に示されるように、タブレット入力補助具１０の設置部２３は、後方側が開放されているので、設置部２３に対して後方側からタブレット１をスライドさせることができる。設置部２３に対して後方側からスライドされるタブレット１の前端部は、立上部２１ｃ、アルミ板２５、庇部３４により囲まれた空間（図３参照）内に挿入されて装着するとともに、立上部２１ｃの背面に固着された緩衝部材２９ａに接触して前後方向の位置決めがされる（図５参照）。このように、タブレット１の前端部が立上部２１ｃに対して緩衝部材２９ａを介して接触するので、タブレット１や立上部２１ｃが接触により破損することが防止される。
【００３２】
また、タブレット１の左端部をタブレット入力補助具１０の壁部２１Ｃに沿って配置することにより、タブレット１の左右方向の位置決めがされる。尚、このときも、タブレット１と壁部２１Ｃとの間に、壁部２１Ｃの右側面に固着された緩衝部材２９ｂが介在するため、タブレット１や壁部２１Ｃの破損を防止できる。また、タブレット１がタブレット入力補助具１０の設置部２３に設置された状態にあっては、タブレット１と該タブレット１に接触する緩衝部材２９ａ，２９ｂとの摩擦力により、タブレット１が後方側または右方側にずれることが抑制される。
【００３３】
また、図４（ｂ）に示されるように、タブレット入力補助具１０の設置部２３は、右方側にも開放されているので、設置部２３に対して右方側からタブレット１をスライドさせることができる。設置部２３に対して右方側からスライドされるタブレット１の左端部は、緩衝部材２９ｂに接触して左右方向の位置決めがされる。また、タブレット１前端部を立上部２１ｃに沿って配置することにより、タブレット１前端部が立上部２１ｃ、アルミ板２５、庇部３４により囲まれた空間（図３参照）内に挿入されるとともに、タブレット１の前後方向の位置決めがされる（図５参照）。
【００３４】
尚、設置部２３に対して右後方側から斜め方向にタブレット１をスライドさせて設置するようにしてもよい。また、タブレット１をタブレット入力補助具１０から取外す際には、後方側、右方側、もしくは、斜め右後方側にタブレット１をスライドさせて取外せばよい。
【００３５】
このように、設置部２３に対して後方側、右方側、もしくは、斜め右後方側からタブレット１を容易に着脱できるとともに、立上部２１ｃや壁部２１Ｃを利用してタブレット１の装着時の位置決めを行うことができる。
【００３６】
また、図４（ｃ）に示されるように、タブレット入力補助具１０の設置部２３は、後方側及び右方側に開放されているので、例えば、タブレット１よりもサイズの大きいタブレット１’の後方側及び右方側を設置部２３の外側に飛び出させて設置することができる。このように、タブレット入力補助具１０は、複数種類のサイズのタブレットを設置できるので汎用性が高い。
【００３７】
次いで、タブレット入力補助具１０に装着されたタブレット１を用いてサインを行う形態を図５に基づいて説明する。
【００３８】
タブレット入力補助具１０に装着されたタブレット１を用いてサインを行う際には、前述した手置き部３１Ａに利用者の手が載置される。具体的には、タブレット入力補助具１０の設置部２３に設置されたタブレット１のタッチパネル２よりも上方に位置する手置き部３１Ａに手を載せてサインすることができる。これにより、手置き部３１Ａに手の手刀部がガイドされるとともに、タッチパネル２にタッチペン３以外の部分が接触することが防止され、タブレット１へ容易に入力をすることができるようになる。
【００３９】
また、手置き部３１Ａに利用者の手が載置されたときには、手の手刀部がアルミ棒３５に接触する。このアルミ棒３５は、スナップ２６の上面に貼着された銅テープ２７を介してアルミ板２５に接触されており、アルミ板２５の上面には、タブレット１が載置されている。すなわち、手置き部３１Ａには通電性を有するアルミ棒３５（利用者側接触部）が配置され、設置部２３には通電性を有するアルミ板２５（タブレット側接触部）が配置され、アルミ棒３５とアルミ板２５とは、通電性を有する銅テープ２７（接続材）により電気的に接続されている。これによれば、利用者の手刀部がアルミ棒３５に接触したときに、タブレット１周辺に存在する静電気等の微弱電流がアルミ板２５、銅テープ２７、アルミ棒３５、利用者の順に流されるとともに、タッチペン３がタッチパネル２に触れることで生じた微小電流がタブレット１、アルミ板２５、銅テープ２７、アルミ棒３５、利用者の順に流されるので、タッチパネル２表面の電流が安定し、タッチペン３を動かした際に発生するタッチパネル２上の電位差が正確に認識されるようになり、安定して入力を行うことができる。
【００４０】
また、アルミ板２５は、タブレット１の背面に直接接触しているので、確実に微弱電流を利用者に流すことができ、タッチパネル２上の電位差が正確に認識されるようになる。また、タブレット側接触部として平板状のアルミ板２５を用いており、アルミ板２５は、設置部２３の底部に配置されているので、設置部２３に載置されたタブレット１を確実にアルミ板２５に面接触させることができるとともに、設置部２３に載置されたタブレット１の安定性も確保できる。
【００４１】
また、アルミ板２５は、該アルミ板２５の厚みよりも浅く形成された凹部２１ｈに配置されており、凹部２１ｈ内に設置された状態においてアルミ板２５の上面側が凹部２１ｈよりも上方に張り出すようになっているので、タブレット１を確実にアルミ板２５に面接触させることができる。
【００４２】
また、スナップ２６の後端部２６ａの厚みと銅テープ２７の厚みとの和は、段部２１ｊの深さよりも僅かに大きくなっており、スナップ２６の後端部２６ａが凹部２１ｈ側に張り出すとともに、スナップ２６の後端部２６ａは、傾斜板部２１ｅの段部２１ｊとアルミ板２５とにより上下方向に狭持されるため、スナップ２６の後端部２６ａに貼着されている銅テープ２７に確実にアルミ板２５が確実に接触するようになっている。
【００４３】
また、スナップ２６の前端部２６ｃは、下向きＵ字状に湾曲して形成されているので、スナップ２６の前端部２６ｃとカバー側基礎部材３１とによりアルミ棒３５を上下に狭持したときに、弾性変形され、その弾性復元力によりアルミ棒３５を強固にカバー側基礎部材３１に押し付けることができる。これにより、アルミ棒３５と銅テープ２７とが確実に接触した状態とすることができる。このように、タブレット１、アルミ板２５、銅テープ２７、アルミ棒３５が確実に電気的に接続される。
【００４４】
また、アルミ棒３５は、左右方向に延設されている。これによれば、サイン時に入力に伴って利用者の手が左右方向に移動しても、アルミ棒３５に接触した状態を保持できるので、サイン時には、常にタッチパネル２表面の電流が安定した状態とすることができる。
【００４５】
また、アルミ棒３５は、面状を成すカバー３０よりも上方へ突出しているため、タッチパネル２への入力時には、利用者の手刀部とカバー３０との接触面積が小さくなるとともに、該アルミ棒３５は円柱状を成しているため、平板状のアルミ棒に接触する場合に比べて、利用者の手刀部とアルミ棒３５との接触面積も小さくなり、利用者の手を左右に動かしたときに手置き部３１Ａとの間に生じる摩擦力を小さくすることができる。また、アルミ棒３５は、設置部２３に設置されたタブレット１のタッチパネル２の上下端縁と略平行に左右方向に延びているので、アルミ棒３５に沿って利用者の手をスライドさせれば、タッチパネル２の入力を左右方向に正確に行うことができる。尚、アルミ棒３５は、利用者の手刀部のスライドを円滑に行うために、鏡面仕上げ等の加工が施されていることが好ましい。
【００４６】
また、手置き部３１Ａは、設置部２３の一部を覆う庇部３４を有しているので、タブレット１のタッチパネル２に近い位置まで手を載せてサインすることができ、タブレット１への入力がしやすい。
【００４７】
また、手置き部３１Ａは、設置部２３の底部を構成する傾斜板部２１ｅ及びアルミ板２５と略平行に配置され、前方から後方に向かうほどに高さが増している。このように、タブレット１はタブレット入力補助具１０に対し後端側が高くなるように傾斜して配置されるため、タブレット入力補助具１０を机の天板Ｆ上に配置したときに、タブレット１のタッチパネル２が前方側の利用者から視やすくなるとともに、タッチパネル２に対して手置き部３１Ａが略平行に配置されることからサインが容易となる。
【００４８】
また、設置部２３の後端部から下方に延出する鉤部２１ｆを有している。これによれば、傾斜板部２１ｅの板厚を後方側に向かうにつれて厚くしなくても、後端側が高くなるように傾斜させることができる。また、タブレット入力補助具１０を机の天板Ｆ上に配置したときに、傾斜板部２１ｅと天板Ｆとの間に隙間が生じるため、傾斜板部２１ｅと天板Ｆとの隙間に指先を入れてタブレット入力補助具１０を簡便に持ち上げることができる。
【００４９】
尚、本実施例では、タッチパネル２にタッチペン３でサインを行う形態を例に挙げ説明しているが、タブレット１がタブレット入力補助具１０に装着された状態においてタッチパネル２を指で操作することもできる。この場合であっても、手置き部３１Ａにより指以外の部分（例えば、手刀部等）がタッチパネル２に接触することが防止されるとともに、指がタッチパネル２に触れることで生じた微小電流がタブレット１、アルミ板２５、銅テープ２７、アルミ棒３５、利用者の順に流されるので、タッチパネル２表面の電流が安定する。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例では、タブレット１を装着したタブレット入力補助具１０を机の天板Ｆに載置してサインを行う形態を例示したが、タブレット１を装着したタブレット入力補助具１０を持ち上げた状態でサインを行うようにしてもよい。この場合であっても、手置き部３１Ａと傾斜板部２１ｅ及びアルミ板２５とが略平行に配置されているので、サインがしやすい。
【００５２】
また、前記実施例では、設置部２３の底部を構成する傾斜板部２１ｅが後方に向かうほどに高くなるように傾斜する形態を例示したが、設置部２３の底部は略水平に配置されていてもよいし、後方に向かうほど低くなるように傾斜していてもよい。これらの場合であっても、手置き部３１Ａと設置部２３の底部とが略平行に配置されることが好ましい。
【００５３】
また、前記実施例では、設置部２３の後方側及び右方側が開放されている形態を例示したが、設置部２３の左方側も開放されていてもよい。また、設置部２３の後方側、右方側、左方側のうち少なくとも１つが開放されていればよい。
【００５４】
また、前記実施例では、緩衝部材２９ａ，２９ｂが弾性を有する高摩擦部材により構成される形態を例示したが、緩衝部材は少なくとも弾性を有していればよく、例えば、フッ素樹脂などの低摩擦部材を用い、低摩擦部材上を滑らせることで設置部２３へのタブレット１の着脱を簡便に行うようにしてもよい。
【００５５】
また、前記実施例では、設置部２３を構成するアルミ板２５と、手置き部３１Ａを構成するアルミ棒３５と、アルミ板２５とアルミ棒３５とを接続する接続材としての銅テープ２７と、により微弱電流が流れる回路を構成する形態を例示したが、設置部、手置き部、接続材は導電性を有していればその素材を自由に変更することができる。例えば、設置部、手置き部、接続材がすべて同一素材（例えばアルミ等）により構成されていてもよい。
【００５６】
また、前記実施例では、タブレット側接触部として平板状のアルミ板２５を用い、アルミ板２５とタブレット１とが面接触する形態を例示したが、上方に突出する凸状部を少なくとも１つ有するタブレット側接触部を用い、タブレット側接触部とタブレット１とが点接触または線接触するようにしてもよい。
【００５７】
また、前記実施例では、アルミ板２５が設置部２３の一部を構成し、アルミ棒３５が手置き部３１Ａの一部を構成する形態を例示したが、設置部２３全体や手置き部３１Ａ全体が通電性を有する部材、例えば導電性樹脂により構成されていてもよい。
【００５８】
また、前記実施例のタブレット入力補助具１０は、会計処理やサインの受理を行うタブレットＰＯＳであるタブレット１が装着される形態を例示したが、タブレット入力補助具に装着されるタブレットは、会計処理やサインの受理等の機能を有さないタブレットＰＯＳ以外のタブレットであってもよい。
【符号の説明】
【００５９】
１，１’          タブレット
２                タッチパネル
３                タッチペン
４                タブレット収納箱
１０              タブレット入力補助具
２１Ｃ            壁部
２１ｅ            傾斜板部（設置部の底部）
２１ｆ            鉤部
２３              設置部
２５              アルミ板（タブレット側接触部）
２７              銅テープ（接続材）
３１Ａ            手置き部
３４              庇部
３５              アルミ棒３５（利用者側接触部）
【図１】
2020087059.tif 000003
【図２】
2020087059.tif 000004
【図３】
2020087059.tif 000005
【図４】
2020087059.tif 000006
【図５】
2020087059.tif 000007